(57)【要約】【課題】静電容量式タッチパネルの位置検出に対する液晶表示装置から発生するノイズの悪影響が確実に除去され、常に正確にタッチ位置が検出されるタッチパネル付き液晶表示装置を提供する。【解決手段】マスク信号生成回路５１が液晶表示パネルの表示駆動制御回路２から送られてくる共通信号電圧Ｖｃｏｍの極性反転周期に応じてパルスを発生させるマスク信号電圧Ｖｍｓｋを生成してタッチパネルの駆動制御回路５６に出力し、駆動制御回路５６は、入力されるマスク信号電圧Ｖｍｓｋのパルスに同期させて、第１〜第３開閉スイッチＳＷ1〜ＳＷ3を開き、各タッチ位置検出電極が形成する静電容量Ｃｐとスキャニング用のベースコンデンサＣｓｕｍとの合成静電容量の充電と充電時間の計測を中断して、共通信号電圧Ｖｃｏｍの極性反転タイミングで発生するノイズが合成静電容量（Ｃｐ＋Ｃｓｕｍ）の計測に及ぼす悪影響を排除する。【選択図】      図３
2011100186.tif 000002
【特許請求の範囲】
【請求項１】
一対の基板が間に液晶層を挟持させて接合され、前記一対の基板の各対向面に複数の画素電極とこれら画素電極に対向する共通電極とがそれぞれ配設されてなる液晶表示パネルと、前記画素電極に表示信号電圧を供給すると共に、前記共通電極に極性の周期的な反転を伴う共通信号電圧を供給する液晶表示パネル駆動手段と、前記液晶表示パネルの表示の観察側に設置され、対向配置された一対の基板と前記一対の基板の各対向面にそれぞれ配設された複数の透明なタッチ位置検出電極からなる静電容量式タッチパネルと、前記タッチ位置検出電極を駆動し、タッチ位置に対応する前記タッチ位置検出電極とタッチ導体との間に形成される静電容量に基づきタッチ位置を検出するタッチパネル駆動手段を設け、前記タッチパネル駆動手段は、充電用定電流回路により、各前記タッチ位置検出電極に一定電流を供給して前記タッチ位置検出電極が形成する静電容量を充電し、比較放電回路により、充電される前記静電容量からの出力電圧と基準電圧とを比較して所定の電位差になると比較信号を出力すると共に該比較信号に応じて前記静電容量の蓄積電荷を放電し、さらに、前記比較信号に基づき充電時間計測回路により計測された前記静電容量の充電時間からタッチ位置を決定するタッチパネル付き液晶表示装置であって、
前記共通信号電圧の極性反転の周期に同期したパルスからなるマスク信号を生成するマスク信号生成回路と、
前記マスク信号の立ち上がりに同期して前記静電容量への充電及び前記充電時間計測回路による充電時間の計測を共に停止し、前記マスク信号の立ち下りに同期して前記静電容量への充電及び前記充電時間計測回路による充電時間の計測を共に開始すると共に、前記充電時間計測回路からの計測データに基づきタッチ位置を特定する駆動制御回路とを、
有することを特徴とするタッチパネル付き液晶表示装置。
【請求項２】
前記タッチ位置検出電極とタッチ導体との間に形成される静電容量に対して並列に、非タッチ時の充電時間を所定の値に設定する静電容量としてのベースコンデンサが設けられていることを特徴とする請求項１に記載のタッチパネル付き液晶表示装置。
【請求項３】
前記タッチ位置検出手段の駆動制御回路は、前記充電用定電流回路に介設された第１の開閉スイッチと、前記タッチ位置検出電極への通電回路に介設された第２の開閉スイッチと、前記充電時間計測回路に設けられた第３の開閉スイッチとを具備し、前記マスク信号の立ち上がりに同期して前記第１の開閉スイッチ及び前記第２の開閉スイッチを開いて充電を中断すると共に前記第３の開閉スイッチを開いて充電時間の計測を中断し、前記マスク信号の立ち下りに同期して前記第１の開閉スイッチ及び前記第２の開閉スイッチを閉じて充電を再開すると共に前記第３の開閉スイッチを閉じて充電時間の計測を再開することを特徴とする請求項１または請求項２に記載のタッチパネル付き液晶表示装置。
【請求項４】
前記第２の開閉スイッチは、前記タッチ位置検出電極と前記ベースコンデンサとを、前記比較放電回路から同時に開閉する位置に形成されていることを特徴とする請求項２に記載のタッチパネル付き液晶表示装置。
【請求項５】
前記マスク信号の立ち上がるタイミングが前記共通信号電圧の極性が反転するタイミングより前で、立ち下がるタイミングが前記共通信号電圧の極性が反転するタイミングより後であることを特徴とする請求項１乃至請求項４のうちの何れかの請求項に記載のタッチパネル付き液晶表示装置。
【請求項６】
一対の基板が間に液晶層を挟持させて接合され、前記一対の基板の各対向面に複数の画素電極とこれら画素電極に対向する共通電極とがそれぞれ配設されてなる液晶表示パネルと、前記画素電極に表示信号電圧を供給すると共に、前記共通電極に極性の周期的な反転を伴う共通信号電圧を供給する液晶表示パネル駆動手段と、前記液晶表示パネルの表示の観察側に設置され、対向配置された一対の基板と前記一対の基板の各対向面にそれぞれ配設された複数の透明なタッチ位置検出電極からなる静電容量式タッチパネルと、前記タッチ位置検出電極を駆動し、タッチ位置に対応する前記タッチ位置検出電極とタッチ導体との間に形成される静電容量に基づきタッチ位置を検出するタッチパネル駆動手段とで構成されるタッチパネル付き液晶表示装置の駆動方法であって、
前記共通信号電圧の極性反転の周期に同期したパルスからなるマスク信号を生成し、
各前記タッチ位置検出電極毎に一定電流を供給して各タッチ位置検出電極が形成する静電容量を充電し、この充電過程において、前記マスク信号の立ち上がりに同期して前記充電を中断すると共に立ち下がりに同期して前記充電を再開し、
充電される前記静電容量からの出力電圧と基準電圧とを比較して比較信号を出力すると共に該比較信号に応じて前記静電容量の蓄積電荷を放電し、
前記比較信号に基づき前記静電容量の充電時間を計測し、この計測過程において、前記マスク信号の立ち上がりに同期して前記計測を中断すると共に立ち下がりに同期して前記計測を再開し、
各タッチ位置検出電極毎の充電時間からタッチ位置に関与するタッチ位置検出電極を選別してタッチ位置を特定し、タッチ位置情報を前記液晶表示パネルの表示駆動手段に出力することを特徴とするタッチパネル付き液晶表示装置の駆動方法。
【発明の詳細な説明】
【技術分野】
【０００１】
この発明は、静電容量方式のタッチパネルが設置された液晶表示装置とその駆動方法に関する。
【背景技術】
【０００２】
近年、液晶パネルなどを表示モニターとして備えたモバイル機器は、小型薄型化の要求に対応するため、表示モニターの表示面に入力デバイスとしてのタッチパネルを搭載するものが多くなっている。
【０００３】
タッチパネルには、静電容量方式や抵抗膜方式、或いは電磁誘導方式等、種々の方式があるが、それらのうちでも、静電容量方式のタッチパネルは、タッチ面の耐久性に優れているという利点から、特許文献１に示されるように、モバイル機器の表示モニターとしての液晶表示装置の入力デバイスとして用いられることが多い。
【先行技術文献】
【特許文献】
【０００４】
【特許文献１】特開２００９−８６１８４号公報
【発明の概要】
【発明が解決しようとする課題】
【０００５】
液晶表示装置では、通常、フリッカーあるいは焼付き現象等の防止対策として、液晶に作用する駆動信号の極性をフレーム周期毎やライン走査周期毎に反転させている。この場合、一定の電圧値に設定される共通電圧を前記周期毎に極性反転させることが多い。この共通電圧の極性を反転させるタイミングで有害なノイズ電波が発生する。
【０００６】
一方、静電容量方式のタッチパネルは、指でタッチした位置の静電容量が指（人体）の容量分だけ増えるために充電時間が長くなることを利用し、所定電位まで充電するのに要する時間をセンサライン毎にカウントし、タッチ位置を特定するものである。
【０００７】
従って、液晶表示装置の極性反転駆動により発生したノイズが、タッチパネルに電圧を誘起し、予期せぬ充電を行うことにより、静電容量式タッチパネルにおける充電時間のカウントに悪影響を及ぼしてカウント時間に誤差が生じ、その結果、タッチ位置検出の精度を低下させる。
【０００８】
本発明の目的は、静電容量式タッチパネルの位置検出に対する液晶表示装置から発生するノイズの悪影響を確実に防止し、常に正確にタッチ位置が検出される、タッチパネル付き液晶表示装置とその駆動方法を提供することである。
【課題を解決するための手段】
【０００９】
本発明の請求項１に記載されたタッチパネル付き液晶表示装置の発明は、一対の基板が間に液晶層を挟持させて接合され、前記一対の基板の各対向面に複数の画素電極とこれら画素電極に対向する共通電極とがそれぞれ配設されてなる液晶表示パネルと、前記画素電極に表示信号電圧を供給すると共に、前記共通電極に極性の周期的な反転を伴う共通信号電圧を供給する液晶表示パネル駆動手段と、前記液晶表示パネルの表示の観察側に設置され、対向配置された一対の基板と前記一対の基板の各対向面にそれぞれ配設された複数の透明なタッチ位置検出電極からなる静電容量式タッチパネルと、前記タッチ位置検出電極を駆動し、タッチ位置に対応する前記タッチ位置検出電極とタッチ導体との間に形成される静電容量に基づきタッチ位置を検出するタッチパネル駆動手段を設け、前記タッチパネル駆動手段は、充電用定電流回路により、各前記タッチ位置検出電極に一定電流を供給して前記タッチ位置検出電極が形成する静電容量を充電し、比較放電回路により、充電される前記静電容量からの出力電圧と基準電圧とを比較して所定の電位差になると比較信号を出力すると共に該比較信号に応じて前記静電容量の蓄積電荷を放電し、さらに、前記比較信号に基づき充電時間計測回路により計測された前記静電容量の充電時間からタッチ位置を決定するタッチパネル付き液晶表示装置であって、前記共通信号電圧の極性反転の周期に同期したパルスからなるマスク信号を生成するマスク信号生成回路と、前記マスク信号の立ち上がりに同期して前記静電容量への充電及び前記充電時間計測回路による充電時間の計測を共に停止し、前記マスク信号の立ち下りに同期して前記静電容量への充電及び前記充電時間計測回路による充電時間の計測を共に開始すると共に、前記充電時間計測回路からの計測データに基づきタッチ位置を特定する駆動制御回路とを、有することを特徴とするものである。
【００１０】
請求項２に記載の発明は、請求項１のタッチパネル付き液晶表示装置において、前記タッチ位置検出電極とタッチ導体との間に形成される静電容量に対して並列に、非タッチ時の充電時間を所定の値に設定する静電容量としてのベースコンデンサが設けられていることを特徴とするものである。
【００１１】
請求項３に記載の発明は、請求項１または請求項２のタッチパネル付き液晶表示装置において、前記タッチ位置検出手段の駆動制御回路が、前記充電用定電流回路に介設された第１の開閉スイッチと、前記タッチ位置検出電極への通電回路に介設された第２の開閉スイッチと、前記充電時間計測回路に設けられた第３の開閉スイッチとを具備し、前記マスク信号の立ち上がりに同期して前記第１の開閉スイッチ及び前記第２の開閉スイッチを開いて充電を中断すると共に前記第３の開閉スイッチを開いて充電時間の計測を中断し、前記マスク信号の立ち下りに同期して前記第１の開閉スイッチ及び前記第２の開閉スイッチを閉じて充電を再開すると共に前記第３の開閉スイッチを閉じて充電時間の計測を再開することを特徴とするものである。
【００１２】
請求項４に記載の発明は、請求項２に記載のタッチパネル付き液晶表示装置において、前記第２の開閉スイッチが、前記タッチ位置検出電極と前記ベースコンデンサとを前記比較放電回路から同時に開閉する位置に形成されている、ことを特徴とするものである。
【００１３】
請求項５に記載の発明は、請求項１乃至請求項４のうちの何れかの請求項に記載のタッチパネル付き液晶表示装置において、前記マスク信号の立ち上がるタイミングが前記共通信号電圧の極性が反転するタイミングより前で、立ち下がるタイミングが前記共通信号電圧の極性が反転するタイミングより後であることを特徴とするものである。
【００１４】
本発明の請求項６に記載のタッチパネル付き液晶表示装置の駆動方法の発明は、一対の基板が間に液晶層を挟持させて接合され、前記一対の基板の各対向面に複数の画素電極とこれら画素電極に対向する共通電極とがそれぞれ配設されてなる液晶表示パネルと、前記画素電極に表示信号電圧を供給すると共に、前記共通電極に極性の周期的な反転を伴う共通信号電圧を供給する液晶表示パネル駆動手段と、前記液晶表示パネルの表示の観察側に設置され、対向配置された一対の基板と前記一対の基板の各対向面にそれぞれ配設された複数の透明なタッチ位置検出電極からなる静電容量式タッチパネルと、前記タッチ位置検出電極を駆動し、タッチ位置に対応する前記タッチ位置検出電極とタッチ導体との間に形成される静電容量に基づきタッチ位置を検出するタッチパネル駆動手段とで構成されるタッチパネル付き液晶表示装置の駆動方法であって、前記共通信号電圧の極性反転の周期に同期したパルスからなるマスク信号を生成し、各前記タッチ位置検出電極毎に一定電流を供給して各タッチ位置検出電極が形成する静電容量を充電し、この充電過程において、前記マスク信号の立ち上がりに同期して前記充電を中断すると共に立ち下がりに同期して前記充電を再開し、充電される前記静電容量からの出力電圧と基準電圧とを比較して比較信号を出力すると共に該比較信号に応じて前記静電容量の蓄積電荷を放電し、前記比較信号に基づき前記静電容量の充電時間を計測し、この計測過程において、前記マスク信号の立ち上がりに同期して前記計測を中断すると共に立ち下がりに同期して前記計測を再開し、各タッチ位置検出電極毎の充電時間からタッチ位置に関与するタッチ位置検出電極を選別してタッチ位置を特定し、タッチ位置情報を前記液晶表示パネルの表示駆動手段に出力する、ことを特徴とするものである。
【発明の効果】
【００１５】
本発明によれば、静電容量式タッチパネルの位置検出に対する液晶表示装置から発生するノイズの悪影響が確実に除去され、常に正確にタッチ位置が検出される。
【図面の簡単な説明】
【００１６】
【図１】本発明の一実施形態としてのタッチパネル付き液晶表示装置を示す模式的断面図である。
【図２】上記タッチパネル付き液晶表示装置におけるタッチパネルのタッチ位置検出電極の構成を示す説明図で、（ａ）は一方の基板側の電極の配置を、（ｂ）は他方の基板側の電極の配置を、（ｃ）は両基板を接合した状態での両電極の配置を、それぞれ示している。
【図３】上記タッチパネル付き液晶表示装置の駆動方法と駆動に係る構成を説明するブロック図である。
【図４】上記タッチパネルにおけるタッチ位置検出電極毎の静電容量の充放電特性曲線と充電時間計測パルス、マスク信号、及び液晶表示パネルの共通信号電圧との関係を示すタイミングチャートである。
【図５】静電容量式タッチパネルにおけるタッチ位置検出電極毎の静電容量の充放電特性曲線と充電時間計測パルスとの関係を示すグラフ図で、（ａ）はタッチされていない状態を、（ｂ）はタッチされた状態を、それぞれ示している。
【図６】上記タッチパネルにおけるマスク信号と第１〜第４開閉スイッチの各開閉動作との関係を示すタイミングチャートである。
【発明を実施するための形態】
【００１７】
まず、本発明の一実施形態としてのタッチパネル付き液晶表示装置の全体構成について、図１に基づき説明する。
【００１８】
本実施形態における液晶表示パネル１は、アクティブマトリクス型液晶表示パネルであり、矩形をなす一対の第１、第２ガラス基板１１、１２が所定の間隙で対向させてシール材１３により接合され、第１のガラス基板１１の対向面には複数の画素電極１４がマトリクス配置で配設され、第２のガラス基板１２の対向面には、マトリックス配置された全ての画素電極１４に対向する共通電極１５が設置されている。そして、第１、第２ガラス基板１１、１２間には、例えばツイストネマチック型の液晶が封入されている。
【００１９】
上記液晶表示パネル１には、表示駆動制御回路２から、各画素電極１４に印加するソース信号電圧と、各画素電極１４に対するソース信号電圧の印加をオン・オフするＴＦＴスイッチのゲート電極を行ごとに接続したゲートラインを走査するゲート信号電圧、及び共通電極１５に印加する共通信号電圧が供給されている。ここで、共通信号電圧は、１ゲートライン走査毎に極性が反転されている。
【００２０】
液晶表示パネル１の表示の観察側となる第２ガラス基板１２には、静電容量式タッチパネル３が透明樹脂からなる粘着層４を介して設置されている。本実施形態における静電容量式タッチパネル３は、投影型の静電容量式タッチパネルであって、矩形をなす一対の第１、第２ガラス基板３１、３２が所定の間隙で対向配置されて枠状スペーサ３３により接合され、それら第１、第２ガラス基板３１、３２の各対向面には、それぞれ、ＩＴＯ（indium tin oxide）等の透明な導電膜からなる第１、第２タッチ位置検出電極３４、３５が設置されている。
【００２１】
図２（ａ）、（ｂ）に示すように、第１、第２タッチ位置検出電極３４、３５は、それぞれ、複数個の正方形をなす電極パッド３４１、３５１を４５°傾けて直線状に連結した帯状電極に形成されており、第１のガラス基板３１の対向面には、その長手方向（以下、Ｘ方向という）に沿って６本の第１タッチ位置検出電極３４ｘ1〜３４ｘ6が所定のピッチｐで平行に配設され、第２ガラス基板３２の対向面には、その短手方向（以下、Ｙ方向という）に沿って１０本の第２タッチ位置検出電極３５ｙ1〜３５ｙ10が同ピッチｐで平行に配設されている。
【００２２】
そして、上述の第１、第２ガラス基板３１、３２を接合した状態では、図２（ｃ）に示すように、第１、第２タッチ位置検出電極３４-ｘ1〜３４-ｘ6、３５ｙ1〜３５ｙ10が互いに直交すると共に、各電極パッド３４１、３５１が互いに重ならない投影配置となっている。
【００２３】
第１、第２タッチ位置検出電極３４-ｘ1〜３４-ｘ6、３５-ｙ1〜３５-ｙ10からは、それぞれ、リード配線が引き出され、各ガラス基板３１、３２の同じ側の基板縁端に並設されている第１、第２接続端子３４２、３５２に接続されている。そして、これら第１、第２接続端子３４２、３５２は、それぞれ、タッチパネル駆動手段５（図１参照）に接続されている。
【００２４】
図１に戻って、タッチパネル３のタッチ側（本タッチパネル付き液晶表示装置の観察側）には、透明なガラス板又はＰＥＴ（ポリエチレンテレフタレート：polyethylene terephthalate）等のプラスチック板からなる前面カバー６が透明な樹脂粘着層７を介して固着されている。本タッチパネル付き液晶表示装置を操作する際は、液晶表示パネル１の表示を視認しながら必要な押圧位置を全面カバー６上からタッチすることにより、タッチ位置情報がタッチパネル駆動手段５から液晶表示パネル１の表示駆動制御回路２に送られる。
【００２５】
次に、本実施形態におけるタッチパネル駆動手段５の構成について、図３に基づき説明する。
【００２６】
タッチパネル駆動手段５は、大略、マスク信号生成回路５１、セレクタ回路５２、充電用定電流回路５３、比較放電回路５４、充電時間計測回路５５及び駆動制御回路５６とで構成されている。
【００２７】
マスク信号生成回路５１は、液晶表示パネル１の表示駆動制御回路２から送られてくる共通信号電圧Ｖｃｏｍに応じてマスク信号電圧Ｖｍｓｋを生成し、駆動制御回路５６に出力する。マスク信号電圧Ｖｍｓｋは、図４に示されるように、極性がライン反転される共通信号電圧Ｖｃｏｍの立ち上がりタイミングより所定時間（1 μｓｅｃ）前に立ち上がり略同時間後に立ち下がるパルスが、共通信号電圧Ｖｃｏｍの極性反転タイミング毎に生じるパルス信号電圧である。
【００２８】
セレクタ回路５２は、駆動制御回路５６からの指示により、図２示すＸ軸方向に延びる６本の第１タッチ位置検出電極３４-ｘ1〜３４-ｘ6とＹ軸方向に延びる１０本の第２タッチ位置検出電極３５-ｙ1〜３５-ｙ10の計１６本のタッチ位置検出電極を順次選択し走査する回路である。
【００２９】
充電用定電流回路５３は、電源ＶＤＤから供給される電流を定電流装置５３１を介して定電流化し、前記セレクタ回路５２により選択されたタッチ位置検出電極に出力する。
【００３０】
比較放電回路５４は、ローパスフィルタ（ＬＰＦ）５４１と、比較器５４２、及び抵抗Ｒからなり、選択されたタッチ位置検出電極が形成する静電容量Ｃｐとこれに並列接続された外付けのベースコンデンサＣｓｕｍとが合成された静電容量の出力回路が、ローパスフィルタ（ＬＰＦ）５４１を介した後、比較器５４２の一方の入力端子に接続される回路と、抵抗Ｒが介設された接地放電回路とに分岐されている。比較器５４２は、前記一方の端子に入力される電圧と基準電圧Ｖｔｈとを比較し、その比較結果を２値のデジタル信号として出力する。接地放電回路における抵抗Ｒの接地側には、前記比較器５４２の出力信号に応じて開閉される第４開閉スイッチＳＷ4が介設されている。なお、ローパスフィルタ５４１は、高周波数ノイズ除去のために介設されている。
【００３１】
充電時間計測回路５５は、１６ｂｉｔカウンタ５５１とオシレイタ５５２とからなり、カウンタ５５１がオシレイタ５５２から供給されるクロックパルスを前記比較器５４２からの出力信号に応じて計測する。即ち、例えば前記一方の端子に入力される電圧と基準電圧Ｖｔｈとを比較し、前記一方の端子に入力される電圧が前記基準電圧Ｖｔｈより低い時に、比較器５４２からの出力信号が「０」となり、この期間はクロックパルスをカウントし、前記一方の端子に入力される電圧が前記基準電圧Ｖｔｈに達した時に、前記出力信号は「１」に変わり、この時、カウントを停止する。カウンタ５５１は、カウント値を駆動制御回路５６に出力する。そして、カウンタ５５１とオシレイタ５５２との間には、第３開閉スイッチＳＷ3が介設されている。
【００３２】
駆動制御回路５６は、前記セレクタ回路５２に走査信号を出力し第１、第２タッチ位置検出電極３４-ｘ1〜３４-ｘ6、３５-ｙ1〜３５-ｙ10を順次走査させると共に、前記マスク信号生成回路５１から出力されるマスク信号に応じて第１、第３、第４の各開閉スイッチＳＷ1、ＳＷ3、ＳＷ4の開閉を制御し、その結果、カウンタ５５１から出力されてくる第１、第２タッチ位置検出電極３４-ｘ1〜３４-ｘ6、３５-ｙ1〜３５-ｙ10毎の充電時間カウント値からタッチ位置を判定し、そのタッチ位置情報を前記表示駆動制御回路２に出力する。
【００３３】
次に、本実施形態のタッチパネル駆動手段５によるタッチ位置検出動作について、図４乃至図６に基づき説明する。
【００３４】
まず、比較例として、液晶表示パネルからノイズ電波が発生されずマスク信号が出力されていないときの充電時間計測動作について説明する。第１、第２スイッチＳＷ1、ＳＷ2が閉じられ（オンされ）、セレクタ回路５２により選択された例えば第１タッチ位置検出電極３４-ｘ1とベースコンデンサＣｓｕｍに電流が流され、第１タッチ位置検出電極３４-ｘ1が形成する静電容量Ｃｐ1とベースコンデンサＣｓｕｍが共に充電され、図５に示すようにそれらが合成された静電容量の出力電圧Ｖｃが時間と共に上昇する。この合成静電容量が充電されている間はオシレイタ５５２からカウンタ５５１にクロックパルスＣＬＫが定常的に供給されている。やがて、充電が継続されることにより合成静電容量の出力電圧Ｖｃが基準電圧Ｖｔｈに達すると、図６に示すように、第４開閉スイッチＳＷ2が閉じて（オンして）合成静電容量の放電が開始される。これと同時に、第１、第２、第３の各開閉スイッチＳＷ1、ＳＷ2、ＳＷ3が開き、合成静電容量の充電とクロックパルスの供給が停止される。
【００３５】
ここで、前面カバー６上の第１タッチ位置検出電極３４-ｘ1との対向部がタッチされていなければ、第１タッチ位置検出電極３４-ｘ1が形成する静電容量Ｃｐ1は略ゼロであるから、図５（ａ）に示すように、充電時間ｔ1は、ベースコンデンサＣｓｕｍの充電時間だけである。
【００３６】
これに対して、第１タッチ位置検出電極３４-ｘ1との対向部が指でタッチされていると、第１タッチ位置検出電極３４-ｘ1と指との間に或る程度の静電容量Ｃｐ1が形成され、ベースコンデンサＣｓｕｍと静電容量Ｃｐ1が合成された静電容量を充電することになるため、図５（ｂ）に示すように、充電時間ｔ1がタッチされていない場合（図５（ａ）参照）より長くなる。この充電時間ｔ1は、クロックパルスCLKのカウント値としてカウンタ５５１から駆動制御回路５６に出力される。
【００３７】
駆動制御回路５６は、ベースコンデンサＣｓｕｍとタッチ電極静電容量Ｃｐ1の合成静電容量が放電されその出力電圧が略ゼロになったら、セレクタ回路５２を介して次順の第１タッチ位置検出電極３４-ｘ2への通電を開始する。この各第１、第２タッチ位置検出電極３４-ｘ1〜３４-ｘ6、３５-ｙ1〜３５-ｙ10毎に通電から充電時間の計測を終えて放電が終了するまでの時間が１走査（スキャン）時間であり、本実施形態では、タッチされていないときの充電時間ｔ1が７００μｓで、放電時間ｔ2との合計時間つまり１スキャン時間（ｔ1＋ｔ2）が１２５０μｓに設定されている。
【００３８】
上記の１スキャン動作が１６本の第１、第２タッチ位置検出電極３４-ｘ1〜３４-ｘ6、３５-ｙ1〜３５-ｙ10に順次実施され、６本の第１タッチ位置検出電極（Ｘ軸電極）３４-ｘ1〜３４-ｘ6のうちの充電時間が他よりも長い電極と１０本の第２タッチ位置検出電極（Ｙ軸電極）３５-ｙ1〜３５-ｙ10のうちの充電時間が他よりも長い電極との交差位置をタッチ位置と特定する。この特定されたタッチ位置の情報が液晶表示パネル１の表示駆動制御回路２に出力される。
【００３９】
例えば、図２（ｃ）において、３行目の第１タッチ位置検出電極３４-ｘ3と６列目の第２タッチ位置検出電極３５-ｙ6の充電時間が他よりも相対的に長い場合は、両電極３４-ｘ3、３５-ｙ6が交差する位置の４個の電極パッド（３４１-ｘ3）ａ、（３４１-ｘ3）ｂ、（３５１-ｙ6）ａ、（３５１-ｙ6）ｂに対応する位置がタッチ位置となる。
【００４０】
本実施形態のタッチパネル付液晶表示装置では、前述したように、液晶表示パネル１の共通信号電圧Ｖｃｏｍの極性が１ライン走査毎に反転されており、この共通信号電圧Ｖｃｏｍの極性が反転されるタイミングでノイズ電波が発生する。このノイズ電波は、タッチパネル３に電圧を誘起し、前記合成静電容量（Ｃｓｕｍ＋Ｃｐ）の充電時間とクロックパルスＣＬＫのカウントに影響を及ぼし、充電時間のばらつきを生じさせ、これが延いては、タッチ位置検出の精度を低下させることになる。
【００４１】
そこで、本発明に係るタッチパネル付き液晶表示装置では、共通信号電圧Ｖｃｏｍの極性反転タイミングに対応させてマスク信号電圧Ｖｍｓｋを生成させ、このマスク信号電圧Ｖｍｓｋに同期させて合成静電容量（Ｃｓｕｍ＋Ｃｐ）の充電と充電時間の計測を一時的に停止させ、前記ノイズ電波の影響を排除した。
【００４２】
即ち、図４に示すように、共通信号電圧Ｖｃｏｍの極性反転タイミングより所定時間前に立ち上がり前記極性反転タイミングの所定時間後に立ち下がる矩形パルス信号からなるマスク信号Ｖｍｓｋを生成させ、このマスク信号Ｖｍｓｋに同期させて、第１、第２タッチ位置検出電極３４-ｘ1〜３４-ｘ6、３５-ｙ1〜３５-ｙ10のそれぞれのスキャン中に、第１、第２、第３の各開閉スイッチＳＷ1、ＳＷ2、ＳＷ3を開き（オフし）、合成静電容量（Ｃｓｕｍ＋Ｃｐ）の充電と充電時間のカウントを中断させる。これにより、充電時間は図５に示すマスク信号による中断のない充電時間よりも中断分に相応する時間だけ長くなり、且つ、図４に示すように中断時のクロックが欠けるものの、充電時間中のクロック数はノイズ電波による影響が排除されてタッチ時とノンタッチ時で略一定となる。その結果、共通信号電圧Ｖｃｏｍの極性反転によるノイズの影響を受けることなく、常に正確にタッチ位置を検出することができる。
【００４３】
以上のように、本実施形態のタッチパネル付き液晶表示装置は、液晶表示パネル１を駆動する共通信号電圧Ｖｃｏｍの極性がライン反転され、タッチパネル３が投影型静電容量式タッチパネルであるが、共通信号電圧Ｖｃｏｍの極性反転タイミングに対応させて、スキャン中のタッチ位置検出電極に対する通電を遮断して合成静電容量（Ｃｓｕｍ＋Ｃｐ）の充電を中断すると共に、カウンタ５５１へのクロックパルスの供給を中断することにより、共通信号電圧Ｖｃｏｍの極性反転タイミングに同期して発生するノイズによる充電時間とその計測値のばらつきが解消され、常に正確にタッチ位置を検出することができる。
【００４４】
なお、本発明は、上記の実施形態に限定されるものではなく、種々の変形が可能である。例えば、上記実施形態では液晶表示パネル１の共通信号電圧Ｖｃｏｍの極性がライン反転されているが、これに限らず、共通信号電圧Ｖｃｏｍの極性がフレーム周期毎に反転するフレーム反転方式の液晶表示パネルである場合にも、本発明は有効に適用される。
【符号の説明】
【００４５】
１                        液晶表示パネル
１１                      第１のガラス基板
１２                      第２のガラス基板
１３                      シール材
１４                      画素電極
１５                      共通電極
２                        表示駆動制御回路
３                        静電容量式タッチパネル
３１                      第１ガラス基板
３２                      第２ガラス基板
３３                      枠状スペーサ
３４、
３４-ｘ1〜３４-ｘ6      第１タッチ位置検出電極
３４１                    第１電極パッド
３４２                    第１接続端子
３５
３５-ｙ1〜３５-ｙ10     第２タッチ位置検出電極
３５１                    第２電極パッド
３５２                    第２接続端子
４、７                    粘着層
５                        タッチパネル駆動手段
５１                      マスク信号生成回路
５２                      セレクタ回路
５３                      充電用定電流回路
５４                      比較放電回路
５５                      充電時間計測回路
５６                      駆動制御回路
６                        全面カバー
【図１】
2011100186.tif 000003
【図２】
2011100186.tif 000004
【図３】
2011100186.tif 000005
【図４】
2011100186.tif 000006
【図５】
2011100186.tif 000007
【図６】
2011100186.tif 000008